(57)【要約】【課題】可動役物が誤作動して予め設定された作動範囲を越えて移動する際に、ストッパ部材が破損等してストッパとしての機能を果たすことができない状態であっても、可動役物の作動範囲を越える作動を規制して、可動役物が破損することを防止することのできるパチンコ遊技機を提供する。【解決手段】パチンコ遊技機１は、作動範囲内で作動するように予め設定された左可動役物６２と、左可動役物６２を作動させる左ステッピングモータ６３と、左可動役物６２が作動した際に、左可動役物６２と接触することによって、左可動役物６２の作動を規制する役物ストッパ８０と、左可動役物６２が役物ストッパ８０と接触する位置へ作動した際に、役物ストッパ８０が無ければ当該左可動役物６２と接触する場所に設けられる電気配線１００とを備える。【選択図】図８
2011131021.tif 000002
【特許請求の範囲】
【請求項１】
作動範囲内で作動するように予め設定された可動役物と、
前記可動役物を作動させる駆動源と、
前記可動役物が作動した際に、当該可動役物と接触することによって、その作動を規制するストッパ部材と、
前記可動役物が前記ストッパ部材と接触する位置へ作動した際に、前記ストッパ部材が無ければ当該可動役物と接触する場所に設けられる電気配線と、
を備える、
パチンコ遊技機。
【請求項２】
一側面に開口部を有し、この開口部の外側に前記ストッパ部材を取り付けるケース体と、
前記ケース体に収容される基板と、
前記基板に搭載される基板側コネクタと、
を備え、
前記電気配線は、前記ケース体の開口部を通じて前記基板側コネクタと接続可能な配線側コネクタと、当該配線側コネクタに一端側が接続されるケーブルと、を有し、
前記配線側コネクタは、前記基板側コネクタと接続された状態で、前記可動役物が前記ストッパ部材と接触する位置へ作動した際に、前記ストッパ部材が無ければ当該可動役物と接触する場所に設けられる、
請求項１に記載のパチンコ遊技機。
【発明の詳細な説明】
【技術分野】
【０００１】
本発明は、パチンコ遊技機に関し、特に可動役物を備えるパチンコ遊技機の技術に関する。
【背景技術】
【０００２】
従来、パチンコ遊技機は、遊技の演出効果を高めるために、遊技盤上に可動役物を備え、当該可動役物を作動させることによって遊技者の関心を惹くことが可能となっている。近年、可動役物は、さらに遊技者の関心を惹くために複数化及び大型化するとともに、その作動パターンが複雑化する傾向にある。したがって、以前と比して前記可動役物が作動する際に何らかのトラブルが発生しやすい状況となっており、そのトラブルの一例として当該可動役物が誤作動するケースが想定される。仮に、前記可動役物が誤作動して予め設定された作動範囲を越えて作動した場合には、当該可動役物はその作動により破損するおそれがある。
【０００３】
そこで、可動役物が誤作動した際に、当該可動役物が予め設定された作動範囲を越えて作動することを規制するためにストッパ部を備える技術が、例えば特許文献１に開示されている。
この特許文献１に開示されている技術では、可動役物としてのセンター役物を備えるパチンコ遊技機において、当該センター役物を駆動する駆動源としての駆動用モータと、前記センター役物を保持する移動体と、外周に螺旋状の溝が設けられるとともに前記移動体内を軸心回りに回転自在に貫装する駆動用シャフトと、前記駆動用シャフトを当該駆動用シャフトの両側端部で回転自在に支持するベース基板と、前記センター役物が予め設定された作動範囲を越えて作動することを規制するためのストッパ部と、を備える。
【０００４】
このような構成により、前記駆動用モータの駆動によって前記駆動用シャフトが軸心回りに回転すると、当該駆動用シャフトの前記螺旋状の溝を介して、前記センター役物を保持した前記移動体が当該駆動用シャフトの回転方向に応じて当該駆動用シャフト上を軸心方向へ向けて往復動自在に移動することとなる。
【０００５】
前記ストッパ部は、前記駆動用シャフトにおける両側端部の近傍であって、予め設定された前記移動体の作動範囲の限界となる位置にそれぞれ配置される。したがって、前記センター役物（さらに詳しくは、前記センター役物を保持した前記移動体）が誤作動して、予め設定された作動範囲を越えて移動しようとしても、当該移動体は前記ストッパ部と当接して接触することとなる。よって、前記ストッパ部は、前記移動体が予め設定された作動範囲を越えて移動することを防止することができ、その移動により当該移動体が破損することを防止することができる。
【先行技術文献】
【特許文献】
【０００６】
【特許文献１】特開２００７−２２９０６６号公報
【発明の概要】
【発明が解決しようとする課題】
【０００７】
しかしながら、特許文献１に開示されている技術においては、前記移動体が誤作動して予め設定された作動範囲を越えて移動する際に、前記ストッパ部が破損等していてストッパとしての機能を果たすことができない状態であるならば、当該移動体は本来ストッパ部によって移動が規制されるはずの位置を越えて移動し、ついには前記駆動用シャフトの両側端部を越えて移動しようとする。その結果、前記移動体に保持されたセンター役物は、予め設定された作動範囲を越えて作動することとなり破損するおそれがある。
【０００８】
本発明は、上記のような問題点に鑑みてなされるものであり、その解決しようとする課題は、可動役物が誤作動して予め設定された作動範囲を越えて移動する際に、ストッパ部材が破損等してストッパとしての機能を果たすことができない状態であっても、当該可動役物の作動範囲を越える作動を規制して、その作動により当該可動役物が破損することを防止することのできるパチンコ遊技機を提供するものである。
【課題を解決するための手段】
【０００９】
本発明の解決しようとする課題は以上の如くであり、次にこの課題を解決するための手段を説明する。
【００１０】
即ち、請求項１においては、作動範囲内で作動するように予め設定された可動役物と、前記可動役物を作動させる駆動源と、前記可動役物が作動した際に、当該可動役物と接触することによって、その作動を規制するストッパ部材と、前記可動役物が前記ストッパ部材と接触する位置へ作動した際に、前記ストッパ部材が無ければ当該可動役物と接触する場所に設けられる電気配線と、を備えるものである。
【００１１】
請求項２においては、一側面に開口部を有し、この開口部の外側に前記ストッパ部材を取り付けるケース体と、前記ケース体に収容される基板と、前記基板に搭載される基板側コネクタと、を備え、前記電気配線は、前記ケース体の開口部を通じて前記基板側コネクタと接続可能な配線側コネクタと、当該配線側コネクタに一端側が接続されるケーブルと、を有し、前記配線側コネクタは、前記基板側コネクタと接続された状態で、前記可動役物が前記ストッパ部材と接触する位置へ作動した際に、前記ストッパ部材が無ければ当該可動役物と接触する場所に設けられるものである。
【発明の効果】
【００１２】
本発明の効果として、以下に示すような効果を奏する。
【００１３】
請求項１においては、ストッパ部材がストッパとしての機能を果たすことができなくとも、当該ストッパ部材の代わりに電気配線を用いて、可動役物の作動を規制することができるので、当該可動役物が誤作動による作動によって破損することを防止することができる。
【００１４】
請求項２においては、ストッパ部材がストッパとしての機能を果たすことができなくとも、当該ストッパ部材の代わりに電気配線の配線側コネクタを用いて、可動役物の作動を規制することができるので、電気配線の破損を防止しつつ当該可動役物が誤作動による作動によって破損することを防止することができる。
【図面の簡単な説明】
【００１５】
【図１】本発明の一実施形態に係るパチンコ遊技機の全体的な構成を示した正面図。
【図２】同じく、遊技盤の構成を示した正面図。
【図３】同じく、初期位置における左右の可動役物作動装置の構成を示した正面図。
【図４】同じく、初期位置における左右の可動役物作動装置の構成を示した平面図。
【図５】同じく、最大作動位置における左可動役物作動装置の構成を示した正面図。
【図６】（ａ）同じく、初期位置における右可動役物作動装置の構成を示した正面図。（ｂ）図６（ａ）におけるＡ−Ａ矢視断面図。
【図７】同じく、最大作動位置における右可動役物作動装置の構成を示した正面図。
【図８】同じく、役物ストッパの構成を示した平面断面図。
【図９】（ａ）同じく、左可動役物の誤作動による作動が役物ストッパにより規制された状態を示した概略正面図。（ｂ）同じく、左可動役物の誤作動による作動が電気配線により規制された状態を示した概略正面図。
【図１０】同じく、左可動役物又は右可動役物の誤作動による作動が電気配線のケーブルにより規制された状態を示した概略図。
【図１１】同じく、左可動役物又は右可動役物の誤作動による作動が電気配線の配線側コネクタにより規制された状態を示した概略図。
【図１２】同じく、左可動役物又は右可動役物の誤作動による作動が基板側コネクタ及び電気配線の配線側コネクタにより規制された状態を示した概略図。
【発明を実施するための形態】
【００１６】
本発明の一実施形態に係るパチンコ遊技機１の全体構成について、図１、図２を用いて説明する。
なお、以下の説明において、パチンコ遊技機１を遊技中の遊技者から見て、手前側をパチンコ遊技機１の前側とし、奥側をパチンコ遊技機１の後側として、パチンコ遊技機１の前後方向を規定する。また、パチンコ遊技機１を遊技中の遊技者から見て、左手側をパチンコ遊技機１の左側とし、右手側をパチンコ遊技機１の右側として、パチンコ遊技機１の左右方向を規定する。
【００１７】
パチンコ遊技機１は、図１、図２に示すように、外枠２と、中枠３と、遊技盤４と、下皿ユニット５と、窓枠６とを備える。
【００１８】
外枠２は、前後面が開口される略四角筒状の枠体である。外枠２は、パチンコホール等の遊技場に設けられる台島に設置される。
【００１９】
中枠３は、略四角形状の枠体である。中枠３は、外枠２の前側開口部の周縁部に沿って配置される。中枠３は、外枠２の前端面の一側にヒンジ等の軸支部材を介して回動可能に支持され、外枠２に対して開閉可能とされる。
【００２０】
遊技盤４は、略板状の部材である。遊技盤４は、中枠３の後端面に着脱可能に取り付けられる。遊技盤４には、遊技球が転動可能な遊技領域７が形成される。
なお、遊技盤４の構成についての詳細な説明は後述するものとする。
【００２１】
下皿ユニット５は、中枠３の前端面下部に固設される。
下皿ユニット５は、下皿８と、ハンドル台９とを備える。下皿８は、遊技球が貯溜される部材である。下皿８は、上面が開口されて下皿ユニット５の略左右中央に配置される。ハンドル台９は、下皿８の右側方に配置される。ハンドル台９には、発射ハンドル１３が回動可能に取り付けられる。発射ハンドル１３は、図示せぬ遊技球発射装置に連結され、発射ハンドル１３が回動操作されると当該遊技球発射装置によって、遊技球を遊技盤４の遊技領域７へ向けて発射可能に構成される。
【００２２】
窓枠６は、略板状の部材である。窓枠６は、下皿ユニット５の上方に配置される。窓枠６は、中枠３の前端面に当該中枠３の前側開口部を前方から覆うように取り付けられる。窓枠６は、中枠３の前端面の一側にヒンジ等の軸支部材を介して回動可能に支持され、中枠３に対して開閉可能とされる。
窓枠６は、窓開口部１０と、ガラス窓１４と、上皿１１と、スピーカ１２とを備える。窓開口部１０は、窓枠６の略中央に配置される。窓開口部１０は、正面視で略円形状であって前後方向へ向けて開口される。ガラス窓１４は、窓開口部１０を覆って、遊技者が当該ガラス窓１４を介して遊技盤４の遊技領域７を視認可能なように構成される。上皿１１は、窓枠６の前面下部であって、窓開口部１０の下方に配置される。上皿１１は、上面が開口されて前記遊技球発射装置によって発射される前の遊技球が貯溜される。スピーカ１２は、窓枠６の前面上部であって、窓開口部１０の左上方及び右上方に配置される。
【００２３】
次に、前記遊技盤４の構成について、図２を用いて詳細に説明する。
【００２４】
遊技盤４は、図２に示すように、基体２１と、ガイドレール２２と、一般入賞口２３と、大入賞装置２４と、可変入賞装置２５と、アウト口２６と、図柄表示手段２７と、可動役物作動装置５０とを備える。
【００２５】
基体２１は、遊技盤４の主たる構造体をなす部材である。基体２１は、複数の板状の部材が組み合わされて形成され、遊技盤４の各構成部材が所定位置に取り付けられる。
基体２１は、前側基体２１ａと、後側基体２１ｂとを備える。
【００２６】
前側基体２１ａは、アクリル板等にて形成されて透明性を有する板状の部材である。前側基体２１ａには、ガイドレール２２や、一般入賞口２３や、大入賞装置２４や、可変入賞装置２５や、アウト口２６等が取り付けられる。
前側基体２１ａは、前側基体開口部３６を備える。前側基体開口部３６は、前側基体２１ａの略中央から右上部にわたって、前後方向へ向けて開口される。前側基体開口部３６の周縁部には、略円筒状の部材である開口部カバー３７が設けられる。開口部カバー３７は、軸心方向を前後方向として配置され、前側基体開口部３６から前方へ向けて立ち上がるように取り付けられる。
【００２７】
後側基体２１ｂは、下部が前方に、上部が後方に位置するような段差状であって、上部と下部とがそれぞれ上下方向へ向けて延出されて略平行となるように、板状の部材が組み合わされて形成される。後側基体２１ｂには、前面側にキャラクター人形や写真やイラスト等の装飾物が施されるとともに、後面側にパチンコ遊技機１を制御する種々の制御基板が取り付けられる。後側基体２１ｂは、前側基体２１ａの後方に配置され、後側基体２１ｂの下部が前側基体２１ａの下部に接触された状態、換言すれば、後側基体２１ｂの上部が前側基体２１ａの上部から離間された状態で固定される。
後側基体２１ｂは、後側基体開口部３８を備える。後側基体開口部３８は、後側基体２１ｂの略中央に、正面視で略矩形状であって前後方向へ向けて開口される。後側基体開口部３８は、前側基体２１ａの前側基体開口部３６の後方に配置される。
【００２８】
このような構成の基体２１において、前側基体２１ａは透明性を有しているので、後側基体２１ｂの前面側に施されたキャラクター人形や写真やイラスト等の装飾物を、前方から遊技者が当該前側基体２１ａを介して視認することができる。また、前述したように、前側基体２１ａの上部と後側基体２１ｂの上部との間には、間隙が設けられる。本実施形態においては、前側基体開口部３６より下方における前記間隙が、可動役物格納部として左右の可動役物作動装置６０・７０を格納可能に構成される。
なお、左右の可動役物作動装置６０・７０の構成についての詳細な説明は後述するものとする。
【００２９】
ガイドレール２２は、外ガイドレール２２ａと、内ガイドレール２２ｂとを備える。外ガイドレール２２ａ及び内ガイドレール２２ｂは、金属製の帯状の部材であり、正面視で略円弧状に形成される。外ガイドレール２２ａ及び内ガイドレール２２ｂは、短手方向を前後方向として基体２１の前面に、前方へ向けて立ち上がるように取り付けられる。外ガイドレール２２ａは、基体２１の左側及び上側の外周を周回するように配置される。内ガイドレール２２ｂは、外ガイドレール２２ａよりも基体２１の内側に位置して、基体２１の左側及び下側の外周を周回するように配置される。そして、外ガイドレール２２ａと内ガイドレール２２ｂとにより基体２１の前面に略円形状に区画形成される領域が、遊技領域７と規定される。また、基体２１の左側に、外ガイドレール２２ａと内ガイドレール２２ｂとの間に円弧状の発射通路２８が区画形成される。前記遊技球発射装置によって発射された遊技球が、この発射通路２８を通過して遊技領域７へ放出される。
【００３０】
一般入賞口２３は上面が開口するポケット状に形成される部材であり、一般入賞口２３に遊技球が入賞すると、図示せぬ賞球払出装置によって所定数の賞球が払い出される。一般入賞口２３は、基体２１の遊技領域７の下部に複数個配置される。
【００３１】
大入賞装置２４は、大当たり抽選により大当たりが選択されると大入賞口３２を開放して遊技球を入賞可能とし、大入賞口３２に遊技球が入賞すると、前記賞球払出装置によって所定数の賞球を払い出させる装置である。大入賞装置２４は、大入賞口３２や、図示せぬ駆動手段及び駆動伝達部等を備える。大入賞装置２４は、基体２１の遊技領域７の中央下部に配置されて、大入賞口３２が開閉可能となるように構成される。
【００３２】
可変入賞装置２５は、予め設定された作動条件を満たすと、左右一対の可動片の動作に応じて、遊技球が可変入賞口３４へと入賞可能な開放状態又は入賞不能な閉鎖状態に切り替わり、当該可変入賞口３４に遊技球が入賞すると、前記賞球払出装置によって所定数の賞球を払い出させるとともに、図示せぬ抽選装置によって大当たり抽選を開始させる装置である。可変入賞装置２５は、基体２１の遊技領域７の略中央、具体的には前側基体開口部３６の下方に配置される。
【００３３】
アウト口２６は、発射通路２８を通過して遊技領域７へ放出された遊技球が、一般入賞口２３や大入賞口３２等の各入賞口に入賞しなかった場合に、最終的に流入する開口部である。アウト口２６は、基体２１の遊技領域７の最下端に前後方向へ開口される。
アウト口２６に流入した遊技球は、パチンコホール等の遊技場側に回収される。
【００３４】
図柄表示手段２７は、パチンコ遊技機１における遊技の演出上の図柄や数字を変動表示する液晶画面を備える装置である。図柄表示手段２７は、前記液晶画面を前方へ向けて、基体２１（さらに詳細には、後側基体２１ｂ）に取り付けられる。前記液晶画面は、平面視で略矩形に形成されて、基体２１に開口される前側基体開口部３６及び後側基体開口部３８を介して前方に臨んで、前方から遊技者が前記液晶画面を視認可能となるように配置される。
【００３５】
可動役物作動装置５０は、左可動役物作動装置６０と、右可動役物作動装置７０とを備える。
【００３６】
先ず、左可動役物作動装置６０の構成について、図３から図５を用いて説明する。
【００３７】
左可動役物作動装置６０は、左可動役物６２を備え、当該左可動役物６２を予め設定された作動範囲内で作動させるように構成される装置である。左可動役物作動装置６０は、主として前記可動役物格納部、即ち基体２１における前側基体２１ａの上部と後側基体２１ｂの上部との間に設けられた間隙のうち、前側基体開口部３６より下方における間隙の左半分に格納される。
左可動役物作動装置６０は、左支持板６１と、左可動役物６２と、左ステッピングモータ６３と、回動伝達板６４とを備える。
【００３８】
左支持板６１は、左可動役物６２を回動自在に支持する部材である。図３に示すように、左支持板６１は、板状の部材であり、正面視で略Ｌ字状に形成される。左支持板６１は、図２に示すように、基体２１の前側基体２１ａと後側基体２１ｂとの間の間隙であって、正面視で前側基体２１ａの前側基体開口部３６の左斜下方に配置されて、前方から遊技者が前側基体開口部３６を介して当該左支持板６１を視認できないように構成される。左支持板６１の後方には、左可動役物６２が配設される。
【００３９】
左可動役物６２は、パチンコ遊技機１における遊技の演出を行う部材である。図３及び図４に示すように、左可動役物６２は、短手方向を前後方向とする箱状のケース体であって、当該左可動役物６２による演出の開始前の位置（以下、「初期位置」と称する。）にある場合、正面視で略Ｌ字状に配置される。
左可動役物６２は、左可動役物支持軸６６と、左可動役物伝達軸６７とを備える。左可動役物支持軸６６は、初期位置にある左可動役物６２の右下部に配置される。左可動役物支持軸６６は、左可動役物６２に相対回転不能に固定され、当該左可動役物６２から、前方及び後方へ向けてそれぞれ突設される。左可動役物支持軸６６の前側端部及び後側端部は、左支持板６１及び後側基体２１ｂにそれぞれ左右回りへ向けて回動自在に軸支され、左可動役物６２が左支持板６１及び後側基体２１ｂに回動自在に支持される。左可動役物伝達軸６７は、初期位置にある左可動役物６２の左下部に配置される。左可動役物伝達軸６７は、左可動役物６２に相対回転不能に固定され、当該左可動役物６２から、後方へ向けて突設される。
【００４０】
左ステッピングモータ６３は、左可動役物６２の駆動源となる部材である。図３に示すように、左ステッピングモータ６３は、左支持板６１の左下部に配置される。左ステッピングモータ６３は、図示せぬ軸や歯車等を介して、左支持板６１に回動自在に支持される回動伝達板６４と連動するように連結される。左ステッピングモータ６３は、図示せぬ制御手段に電気的に接続されて、当該制御手段によって駆動制御されるように構成される。
なお、本実施形態において、左可動役物作動装置６０の駆動源として左ステッピングモータ６３を用いているが、これに限定するものではない。即ち、駆動源としてソレノイドやその他の任意のモータを用いることができる。
【００４１】
回動伝達板６４は、左可動役物６２と左ステッピングモータ６３とが連動されるように、両者を連結する細長い平板状の部材である。回動伝達板６４の一端側は、左支持板６１に回動自在に支持される。回動伝達板６４の他端側（左可動役物伝達軸６７側）には、回動伝達開口部６８が設けられる。回動伝達開口部６８は、回動伝達開口部６８の長手方向の略中央から左可動役物伝達軸６７側の端部にわたって、正面視で短手方向の径が長手方向にわたって同径となるように、前後方向へ向けて開口される長円形状の開口部である。回動伝達開口部６８には、左可動役物６２の左可動役物伝達軸６７の後端部が後方へ向けて挿入されて、当該回動伝達開口部６８の内部を長手方向へ向けて摺動移動可能に構成される。また、左支持板６１に回動自在に支持される回動伝達板６４の一端側は、図示せぬ軸や歯車等を介して左ステッピングモータ６３と接続されている。
このように、左可動役物６２と左ステッピングモータ６３とは、回動伝達板６４を介して連動可能に連結されている。
【００４２】
このような構成により、左可動役物作動装置６０においては、左ステッピングモータ６３が駆動すると、回動伝達板６４が前記図示せぬ軸や歯車等を介して、一端側（左支持板６１に支持される側）を中心として左右回り（時計回り及び反時計回り）に回動する。
具体的には、左ステッピングモータ６３が駆動して、回動伝達板６４が左回り（反時計回り）に回動すると、回動伝達開口部６８に挿入された左可動役物６２の左可動役物伝達軸６７が回動伝達開口部６８の内部を中央側（又は端部側）へ向けて摺動移動しながら、回動伝達板６４とともに回動する。その結果、図５に示すように、左可動役物６２は、左可動役物伝達軸６７を介して、左可動役物支持軸６６を中心として右回り（時計回り）に回動されることとなる。こうして、左可動役物６２は、初期位置から移動すると、立った状態となって遊技者からガラス窓１４及び前側基体開口部３６を通じて視認可能となる。
なお、図５に示すように、左可動役物６２が前記予め設定された作動範囲内で右回り（時計回り）に最大限に回動された位置を「最大作動位置」と称する。
【００４３】
左可動役物６２が最大作動位置にある場合に、左ステッピングモータ６３が駆動して、回動伝達板６４が右方向（時計回り）に回動すると、回動伝達開口部６８に挿入された左可動役物６２の左可動役物伝達軸６７が回動伝達開口部６８の内部を端部側（又は中央側）へ向けて摺動移動しながら、回動伝達板６４とともに回動される。その結果、左可動役物６２は、左可動役物伝達軸６７を介して、左可動役物支持軸６６を中心として左回り（反時計回り）に初期位置に向かって回動されることとなる。こうして、左可動役物６２は、最大作動位置から初期位置に移動すると、寝た状態となって遊技者からガラス窓１４及び前側基体開口部３６を通じて視認不能となる。
【００４４】
このように、左可動役物作動装置６０において、左可動役物６２は、予め設定された作動範囲内（即ち、初期位置から最大作動位置まで）で左可動役物支持軸６６を中心として左右回り（時計回り及び反時計回り）に回動されるように構成される。
【００４５】
次に、右可動役物作動装置７０の構成について、図３、図４、図６及び図７を用いて説明する。
【００４６】
右可動役物作動装置７０は、右可動役物７２を備え、当該右可動役物７２を予め設定された作動範囲内で作動させるように構成される装置である。右可動役物作動装置７０は、主として前記可動役物格納部、即ち基体２１における前側基体２１ａの上部と後側基体２１ｂの上部との間に設けられた間隙のうち、前側基体開口部３６より下方における間隙の右半分に格納される。
右可動役物作動装置７０は、右支持板７１と、右可動役物７２と、右ステッピングモータ７３と、を備える。
【００４７】
右支持板７１は、右ステッピングモータ７３を支持する板状の部材である。右支持板７１は、基体２１の前側基体２１ａと後側基体２１ｂとの間の間隙に配置される。図３に示すように、右支持板７１の後方には、右可動役物７２が配設される。
【００４８】
右可動役物７２は、前記左可動役物６２とともにパチンコ遊技機１における遊技の演出を行う部材である。図３及び図４に示すように、右可動役物７２は、短手方向を前後方向とする箱状のケース体であって、当該右可動役物７２による演出の開始前の位置（以下、「初期位置」と称する。）にある場合、正面視で左右方向に細長い形状に配置される。
右可動役物７２は、右可動役物開口部７６と、電飾基板７７と、基板側コネクタ７８と、役物ストッパ８０と、右可動役物歯車７５とを備える。
【００４９】
右可動役物開口部７６は、右可動役物７２の一側面、図３及び図６に示すように、本実施形態においては前面に設けられる。右可動役物開口部７６は、正面視で略矩形状にであって前後方向へ向けて開口される。右可動役物開口部７６は、右可動役物７２の初期位置にある場合、右可動役物７２の前面の左上端部に配置される。
【００５０】
電飾基板７７は、図６（ｂ）に示すように、箱状のケース体である右可動役物７２の内部に設けられる。電飾基板７７には、複数のＬＥＤ等の光源が設けられ、当該光源によって前方の右可動役物７２の前面を後方から投光することができる。したがって、右可動役物７２の前面を、例えばアクリル板等からなる透光性部材により形成すると、当該右可動役物７２の前面が後方から投光されて輝くことになり、遊技の演出効果を高めることができる。
なお、本実施形態において、右可動役物７２の内部に設けられる基板の一例として電飾基板７７が用いられているが、これに限定するものではない。即ち、後述する基板側コネクタ７８が搭載される基板であればよい。
また、電飾基板７７が設けられるケース体の一例として右可動役物７２が用いられているが、これに限定するものではない。即ち、右可動役物７２のように作動する部材でなくとも（即ち、固定された部材であっても）、電飾基板７７が内部に設けられ、かつ役物ストッパ８０が外部に設けられるようなケース体であればよい。
【００５１】
基板側コネクタ７８は、図６（ａ）、（ｂ）及び図８に示すように、電飾基板７７に搭載される。基板側コネクタ７８は、電源に接続されている電気配線１００と接続可能となるように構成され、その電気配線１００に接続されることによって電気を電飾基板７７に設けられた前記光源に供給することができる。基板側コネクタ７８は、右可動役物７２の初期位置にある場合、右可動役物７２の左上端部であって、右可動役物７２の前面に開口された右可動役物開口部７６内、又はその後方に、電気配線１００との接続側を前方へ向けた状態で配置される。
【００５２】
役物ストッパ８０は、上面が開口される正面視で略コ字形状の部材である。役物ストッパ８０は、左可動役物６２又は右可動役物７２が誤作動した際に、左可動役物６２と接触することによって、その左可動役物６２又は右可動役物７２の回動を規制するストッパとしての機能を有する部材である。役物ストッパ８０は、右可動役物７２の初期位置にある場合、左隣の左可動役物６２に近接するように、右可動役物７２の左上端部に配置される。こうして、役物ストッパ８０は、互いに左右方向に隣り合う左可動役物６２と右可動役物７２との間付近で、右可動役物開口部７６や基板側コネクタ７８と前後に並んで配置される。
なお、本実施形態において、ストッパ部材の一例として役物ストッパ８０が用いられているが、これに限定するものではない。
また、役物ストッパ８０の構成についての詳細な説明は後述するものとする。
【００５３】
右可動役物歯車７５は、右可動役物７２の前面であって、役物ストッパ８０の下方に配置される。右可動役物歯車７５は、右可動役物７２に相対回転不能に固定される。右可動役物歯車７５は、図３に示すように、中間歯車７９等を介して右ステッピングモータ７３と連動するように連結される。
【００５４】
右ステッピングモータ７３は、右可動役物７２の駆動源となる部材である。図３に示すように、右ステッピングモータ７３は、右支持板７１に固定される。右ステッピングモータ７３は、中間歯車７９等を介して、右可動役物７２に固設される右可動役物歯車７５と連結されており、これにより右ステッピングモータ７３と右可動役物７２とが連動可能に連結されている。右ステッピングモータ７３は、図示せぬ制御手段に電気的に接続されて、当該制御手段によって駆動制御されるように構成される。
なお、本実施形態において、右可動役物作動装置７０の駆動源として右ステッピングモータ７３を用いているが、これに限定するものではない。即ち、駆動源としてソレノイドやその他の任意のモータを用いることができる。
【００５５】
このような構成により、右可動役物作動装置７０においては、右ステッピングモータ７３が駆動すると、中間歯車７９や右可動役物歯車７５等を介して、当該右可動役物歯車７５を中心として左右回り（時計回り及び反時計回り）に回動する。
具体的には、右ステッピングモータ７３が駆動して、右可動役物歯車７５が正面視で左回り（反時計回り）に回動すると、図７に示すように、右可動役物７２が右可動役物歯車７５を中心として左回り（反時計回り）に回動することとなる。こうして、右可動役物７２は、初期位置から移動すると、立った状態となって遊技者からガラス窓１４及び前側基体開口部３６を通じて視認可能となる。
なお、図７に示すように、右可動役物７２が前記予め設定された作動範囲内で左回り（反時計回り）に最大限に回動された位置を「最大作動位置」と称する。
【００５６】
右可動役物７２が最大作動位置にある場合に、右ステッピングモータ７３が駆動して、右可動役物歯車７５が右回り（時計回り）に回動すると、右可動役物７２が右可動役物歯車７５を中心として右回り（時計回り）に回動することとなる。こうして、右可動役物７２は、最大作動位置から初期位置に移動すると、寝た状態となって遊技者からガラス窓１４及び前側基体開口部３６を通じて視認不能となる。
【００５７】
このように、右可動役物作動装置７０において、右可動役物７２は、予め設定された作動範囲内（即ち、初期位置から最大作動位置まで）で右可動役物歯車７５を中心として左右回り（時計回り及び反時計回り）に回動されるように構成される。
【００５８】
以上のように、左可動役物６２及び右可動役物７２は、相互に独立して左右回り（時計回り及び反時計回り）に予め設定された作動範囲内を回動されるように構成される。そして、左可動役物６２及び右可動役物７２の予め設定された作動範囲は、一部が共通するものである。具体的には、左可動役物６２の予め設定された作動範囲のうち右側の範囲と、右可動役物７２の予め設定された作動範囲のうち左側の範囲とは、共通しており、この範囲内では、左可動役物６２及び右可動役物７２のいずれの可動役物も回動されることとなる。したがって、左可動役物６２及び右可動役物７２は、その共通する作動範囲内で回動される場合には、相互に接触しないような回動パターンが設定されている。
【００５９】
次に、役物ストッパ８０の構成について、図８から図１０を用いて、さらに詳細に説明する。
【００６０】
役物ストッパ８０は、図８から図１０に示すように、矩形の筒状部材の上面を切り欠いて開口して形成した正面視で略コ字状の部材であり、筒軸方向を前後方向として右可動役物７２の右可動役物開口部７６の外側に取り付けられる。具体的には、役物ストッパ８０は、その後側端部が右可動役物７２の右可動役物開口部７６の左右及び下側周縁部を取り囲み、その前側開口部が前方に臨むように、右可動役物７２の前面から前方へ突設される。役物ストッパ８０の内部は、右可動役物７２の内部と、右可動役物開口部７６を通じて連通される。
【００６１】
役物ストッパ８０の前後幅は、左可動役物６２の右端部における前後幅よりも長く設定される。そして、図４に示すように、本実施形態において、役物ストッパ８０の前端部は、左可動役物６２の右端部前面よりも前方に位置するように配置される。ただし、役物ストッパ８０の前端部は、少なくとも左可動役物６２の右端部後面よりも前方に位置するように配置すればよい。
【００６２】
図９に示すように、役物ストッパ８０の内幅（即ち、役物ストッパ８０の内部の上下及び左右の幅）は、電気配線１００の外幅（電気配線１００の外縁の上下及び左右の幅）よりも大きくなるように設定される。即ち、図８に示すように、役物ストッパ８０の内部には、電気配線１００における基板側コネクタ７８との接続部（即ち、後述する配線側コネクタ１０１）が挿入可能となっている。電気配線１００は、役物ストッパ８０の内部へ挿入された後、右可動役物７２の内部に配置される基板側コネクタ７８と右可動役物開口部７６を通じて接続される。
【００６３】
その上で、役物ストッパ８０は、左右方向に隣り合う左可動役物６２及び右可動役物７２のうち右可動役物７２に設けられ、左可動役物６２の右端部に近接しつつ対向するように配置される。そして、左可動役物６２又は右可動役物７２が回動する際に誤作動によって予め設定された作動範囲を越えて最大作動位置から初期位置と反対方向に更に回動しようとする場合、及び左可動役物６２と右可動役物７２とが相互に共通する作動範囲内で回動する際に、相互に接触しないような回動パターンが設定されているにもかかわらず、いずれかの誤作動によって共通する作動範囲内で接触しようとする場合、役物ストッパ８０が左可動役物６２のいずれかの部位と接触するように構成される。
【００６４】
このように、本実施形態において、役物ストッパ８０がストッパとして用いられる場合とは、左可動役物６２又は右可動役物７２が回動する際に誤作動によって予め設定された作動範囲を越えて最大作動位置から初期位置と反対方向に更に回動しようとする場合と、及び左可動役物６２と右可動役物７２とが相互に共通する作動範囲内で回動する際に、相互に接触しないような回動パターンが設定されているにもかかわらず、いずれかの誤作動によって共通する作動範囲内で接触しようとする場合との二つの場合が想定されている。
なお、役物ストッパ８０が左可動役物６２又は右可動役物７２に接触する場合は、本実施形態における前記二つの場合に限定するものではない。即ち、役物ストッパ８０は、左可動役物６２又は右可動役物７２に誤作動がなくとも、左可動役物６２又は右可動役物７２が回動する際に役物ストッパ８０に接触させてその回動を停止させる、換言すれば、意図的に役物ストッパ８０と左可動役物６２又は右可動役物７２とを接触させる構成としてもよい。
【００６５】
こうして、パチンコ遊技機１において、役物ストッパ８０は、左可動役物６２又は右可動役物７２がそれぞれ左右回り（時計回り及び反時計回り）に回動する際に、誤作動によりそれぞれの予め設定された作動範囲を越えて最大作動位置から初期位置と反対方向に回動しようとしても、左可動役物６２のいずれかの部位と接触する。その結果、役物ストッパ８０は、左可動役物６２又は右可動役物７２のそれ以上の回動を規制して、その回動により左可動役物６２又は右可動役物７２が破損することを防止することができる。
また、役物ストッパ８０は、左可動役物６２と右可動役物７２とが相互に共通する作動範囲内で回動する際に、相互に接触しないような回動パターンが設定されているにもかかわらず、いずれかの誤作動によってその共通する作動範囲内で接触しようとしても、左可動役物６２のいずれかの部位と接触する。その結果、役物ストッパ８０は、左可動役物６２及び右可動役物７２のそれ以上の回動を規制して、左可動役物６２と右可動役物７２とが接触することにより破損することを防止することができる。
【００６６】
また、役物ストッパ８０は、上面を開口した正面視で略コ字状の部材で形成されているので、仮に役物ストッパ８０が平板状の部材等により形成される場合と比べて、当該役物ストッパ８０の強度が高められている。したがって、役物ストッパ８０を破損しにくくして、極力役物ストッパ８０により左可動役物６２又は右可動役物７２の作動を規制することができる。また、電気配線１００を役物ストッパ８０の内部にその下及び左右の側壁により前から後ろに案内させながら挿入することが可能となり、右可動役物７２の内部に配置される基板側コネクタ７８に接続しやすくなっている。
【００６７】
なお、役物ストッパ８０に係る、配置場所や形状を含む構成は、前述したような構成に限定するものではない。即ち、左可動役物６２又は右可動役物７２が回動する際に誤作動によって予め設定された作動範囲を越えて最大作動位置から初期位置と反対方向に更に回動しようとした場合、及び左可動役物６２と右可動役物７２とが相互に共通する作動範囲内で回動する際に、相互に接触しないような回動パターンが設定されているにもかかわらず、いずれかの誤作動によってその共通する作動範囲内で接触しようとする場合、役物ストッパ８０は左可動役物６２のいずれかの部位と接触してその作動が規制される構成であればよい。例えば、このような構成であれば、役物ストッパ８０を、右可動役物７２ではなく、隣り合う他方の左可動役物６２に設けてもよい。
【００６８】
また、本実施形態において役物ストッパ８０は、上面が開口される正面視で略コ字状の部材が用いられているが、前述したように役物ストッパ８０はこの形状に限定するものではない。例えば、役物ストッパ８０は、（上面を開口していない）正面視で略矩形の角筒状の部材を用いることができる。このような形状に役物ストッパ８０を形成することによって、役物ストッパ８０が上面を開口した正面視で略コ字状に形成される場合に比べて、役物ストッパ８０の強度をさらに高めることが可能となる。したがって、役物ストッパ８０をより破損しにくくして、極力役物ストッパ８０により左可動役物６２又は右可動役物７２の作動を規制することができる。
【００６９】
次に、役物ストッパ８０の代用品として一時的に利用可能な電気配線１００の構成について、図８から図１２を用いて、さらに詳細に説明する。
【００７０】
電気配線１００は、配線側コネクタ１０１と、ケーブル１０２とを備える。
【００７１】
配線側コネクタ１０１は、右可動役物７２の内部に配置される基板側コネクタ７８と接続可能に構成される。配線側コネクタ１０１の後端部は、役物ストッパ８０の内部に収容された状態で、電気配線１００における基板側コネクタ７８との接続部として、右可動役物７２の右可動役物開口部７６と対向して配置され、この右可動役物開口部７６を通じて外部に臨む基板側コネクタ７８と接続される。そして、配線側コネクタ１０１が基板側コネクタ７８と接続されることによって、電源から電気が、電気配線１００（即ち、ケーブル１０２、配線側コネクタ１０１）、基板側コネクタ７８を介して電飾基板７７に設けられた前記光源に供給可能とされる。
【００７２】
配線側コネクタ１０１は、図８に示すように、役物ストッパ８０の内部に下及び左右の側壁により前から後ろに案内されながら挿入され、後端部で右可動役物開口部７６を通じて基板側コネクタ７８の前端部と接続される。この際、配線側コネクタ１０１は、右可動役物開口部７６から前側、即ち役物ストッパ８０側へ突出した状態となる。
【００７３】
ケーブル１０２は、配線側コネクタ１０１の一端側、本実施形態においては前端部に接続される。ケーブル１０２は、配線側コネクタ１０１が基板側コネクタ７８に接続されたとき、役物ストッパ８０の内部に収容された部分（以下、「収容部分１０２ａ」と称する。）が前後方向に延び、この収容部分１０２ａよりも前側が役物ストッパ８０の前端から外部へ延びるように配置される。つまり、ケーブル１０２は、図１０に示すように、収容部分１０２ａが左可動役物６２又は右可動役物７２の回動時に左可動役物６２と接触するのを役物ストッパ８０の側壁により阻止される場所に配置され、この収容部分１０２ａよりも前側が左可動役物６２の役物ストッパ８０との接触部位よりも前方の位置、即ち左可動役物６２又は右可動役物７２の回動時に左可動役物６２と接触しない場所に配置される。
【００７４】
このような構成により、役物ストッパ８０が破損等せずに左右の可動役物６２・７２のストッパとしての機能を果たす状態においては、前述のように、左可動役物６２又は右可動役物７２が回動する際に誤作動によって予め設定された作動範囲を越えて最大作動位置から初期位置と反対方向に更に回動しようとした場合、及び左可動役物６２と右可動役物７２とが相互に共通する作動範囲内で回動する際に、相互に接触しないような回動パターンが設定されているにもかかわらず、いずれかの誤作動によってその共通する作動範囲内で接触しようとする場合、左可動役物６２のいずれかの部位が役物ストッパ８０に当接して接触し、左可動役物６２及び右可動役物７２のそれ以上の回動が規制されることとなる。
この際、電気配線１００（即ち、配線側コネクタ１０１及びケーブル１０２）は、役物ストッパ８０の内部に収容されてその近傍に位置するが、役物ストッパ８０により左可動役物６２との接触を阻止されることとなる。また、ケーブル１０２は、役物ストッパ８０の外部へ延びるように配置されているが、左可動役物６２よりも前方に位置することから左可動役物６２と接触しないこととなる。
【００７５】
一方、図９（ｂ）及び図１０に示すように、役物ストッパ８０が破損等により左可動役物６２のストッパとしての機能を果たすことができない状態において、具体的には役物ストッパ８０の全部、又はストッパとしての機能を果たすために必要な一部がない状態において、左可動役物６２が回動する際に誤作動によって予め設定された作動範囲を越えて最大作動位置から初期位置と反対方向に更に回動しようとした場合、及び左可動役物６２と右可動役物７２とが相互に共通する作動範囲内で回動する際に、相互に接触しないような回動パターンが設定されているにもかかわらず、左可動役物６２の誤作動によってその共通する作動範囲内で接触しようとする場合、ケーブル１０２の収容部分１０２ａが役物ストッパ８０の内部に収容されてその近傍に配置されているため、図９（ｂ）及び図１０に示すように、左可動役物６２は、同一方向に若干回動しただけで、役物ストッパ８０の代わりに、ケーブル１０２の収容部分１０２ａと接触し、それ以上の回動が規制されることとなる。その結果、その回動により左可動役物６２が破損したり、左可動役物６２と右可動役物７２とが相互の接触により破損したりすることを防止することができる。
【００７６】
また、役物ストッパ８０が破損等により右可動役物７２のストッパとしての機能を果たすことができない状態において、具体的には役物ストッパ８０の全部、又はストッパとしての機能を果たすために必要な一部がない状態において、右可動役物７２が回動する際に誤作動によって予め設定された作動範囲を越えて最大作動位置から初期位置と反対方向に更に回動しようとした場合、及び左可動役物６２と右可動役物７２とが相互に共通する作動範囲内で回動する際に、相互に接触しないような回動パターンが設定されているにもかかわらず、右可動役物７２の誤作動によってその共通する作動範囲内で接触しようとする場合、ケーブル１０２の収容部分１０２ａが役物ストッパ８０の内部に収容されてその近傍に配置されているため、図９（ｂ）及び図１０に示すように、右可動役物７２は、同一方向に若干回動しただけで、役物ストッパ８０の代わりに、ケーブル１０２の収容部分１０２ａと接触し、それ以上の回動が規制されることとなる。その結果、その回動により右可動役物７２が破損したり、左可動役物６２と右可動役物７２とが相互の接触により破損したりすることを防止することができる。
【００７７】
また、このような構成は、役物ストッパ８０の代わりにケーブル１０２の収容部分１０２ａを用いて、左可動役物６２又は右可動役物７２の誤作動による回動を規制するものであるので、誤作動により回動される左可動役物６２又は右可動役物７２と、ケーブル１０２の収容部分１０２ａとが接触し、当該ケーブル１０２の収容部分１０２ａが切断された場合、電気配線１００による電気の供給が遮断されることとなる。したがって、前記ＬＥＤ等の光源が投光しなくなる等、電気配線１００の電気の供給により作動していた部材が作動しなくなる。その結果、役物ストッパ８０が破損等により左可動役物６２又は右可動役物７２のストッパとしての機能を果たすことができていない可能性がある旨を、遊技者又はパチンコホール等の遊技場の担当者は容易に認識することができる。
【００７８】
さらに、役物ストッパ８０の代用品として一時的に利用可能な部材として、電気配線１００のケーブル１０２の収容部分１０２ａではなく、電気配線１００の配線側コネクタ１０１を用いる構成とすることができる。
【００７９】
配線側コネクタ１０１は、前述したように、右可動役物開口部７６から前側、即ち役物ストッパ８０側に突出した状態となっている。そして、本実施形態においては、図１１に示すように、配線側コネクタ１０１の前端部は、役物ストッパ８０の内部で、前方へ向けて延出され、役物ストッパ８０の前側端部近傍にまで近接される。つまり、配線側コネクタ１０１は、左可動役物６２又は右可動役物７２の回動時に左可動役物６２と接触するのを役物ストッパ８０の側壁により阻止される場所に配置される構成とされる。
なお、本実施形態において配線側コネクタ１０１の前端部は、左可動役物６２における当該配線側コネクタ１０１との接触部の前面よりも前方に位置しているが、このような構成に限定するものではない。即ち、配線側コネクタ１０１の前端部は、左可動役物６２における当該配線側コネクタ１０１との接触部の前面よりも後方に位置していても、左可動役物６２と接触する部位が、電気配線１００のケーブル１０２ではなく、配線側コネクタ１０１となる構成であればよい。
【００８０】
このような構成により、前述したような電気配線１００のケーブル１０２の収容部分１０２ａを用いて役物ストッパ８０の代用品として一時的に利用した場合と同様に、電気配線１００の配線側コネクタ１０１を役物ストッパ８０の代用品として一時的に利用することができる。即ち、電気配線１００の配線側コネクタ１０１を用いて、左可動役物６２又は右可動役物７２の誤作動による回動を規制して、その回動により破損することを防止したり、左可動役物６２と右可動役物７２とが誤作動による回動で接触することにより破損することを防止したりすることができる。
また、電気配線１００の配線側コネクタ１０１は、左可動役物６２又は右可動役物７２と接触してもケーブル１０２のように切断されることがないので、役物ストッパ８０の代用品として用いた遊技部品の破損を極力防止しつつ左可動役物６２又は右可動役物７２のストッパとしての機能を果たすことができる。
【００８１】
また、さらに別実施形態として、図１２に示すように、基板側コネクタ７８を、右可動役物開口部７６から前側、即ち役物ストッパ８０側に突出した状態として、基板側コネクタ７８の前端部を左可動役物６２又は右可動役物７２の回動時に左可動役物６２と接触するのを役物ストッパ８０の側壁により阻止される場所に配置するとともに、当該基板側コネクタ７８の前端部に電気配線１００の配線側コネクタ１０１を接続させて、配線側コネクタ１０１の前端部を、役物ストッパ８０の内部で、前方へ向けて延出されて、役物ストッパ８０の前側端部近傍にまで近接される構成とすることができる。このような構成により、配線側コネクタ１０１及び基板側コネクタ７８の双方が、左可動役物６２又は右可動役物７２の回動時に左可動役物６２と接触するのを役物ストッパ８０の側壁により阻止される場所に配置されることとなる。
【００８２】
このような構成により、前述したような、電気配線１００の配線側コネクタ１０１を用いて役物ストッパ８０の代用品として一時的に利用した場合と同様に、基板側コネクタ７８及び電気配線１００の配線側コネクタ１０１を役物ストッパ８０の代用品として一時的に利用することができる。即ち、基板側コネクタ７８及び電気配線１００の配線側コネクタ１０１を用いて、左可動役物６２又は右可動役物７２の誤作動による回動を規制して、その回動により破損することを防止したり、左可動役物６２と右可動役物７２とが誤作動による回動で接触することにより破損することを防止したりすることができる。
また、基板側コネクタ７８及び電気配線１００の配線側コネクタ１０１は、二つの部材を用いてストッパとしての機能を果たすものであるから、配線側コネクタ１０１（一つの部材）だけを用いて役物ストッパ８０の代用品とした場合よりもストッパとしての強度を向上させることができる。
【００８３】
また、誤作動により回動される左可動役物６２又は右可動役物７２と、基板側コネクタ７８及び電気配線１００の配線側コネクタ１０１とが接触した場合に、基板側コネクタ７８と電気配線１００の配線側コネクタ１０１との接続が外れる構成とすることができる。
このような構成により、左可動役物６２又は右可動役物７２と、基板側コネクタ７８及び電気配線１００の配線側コネクタ１０１とが接触して、基板側コネクタ７８と電気配線１００の配線側コネクタ１０１との接続が外れると、電気配線１００による電気の供給が遮断されることとなる。したがって、前記ＬＥＤ等の光源が投光しなくなる等、電気配線１００の電気の供給により作動していた部材が作動しなくなる。その結果、役物ストッパ８０の代用品として用いる遊技部品の破損を防止しつつ、役物ストッパ８０が破損等により左可動役物６２又は右可動役物７２のストッパとしての機能を果たすことができていない可能性がある旨を、遊技者又はパチンコホール等の遊技場の担当者は容易に認識することができる。
【符号の説明】
【００８４】
１：パチンコ遊技機，６０：左可動役物作動装置，６２：左可動役物，６３：左ステッピングモータ，７２：右可動役物，７６：右可動役物開口部，７７：電飾基板，７８：基板側コネクタ，８０：役物ストッパ，１００：電気配線，１０１：配線側コネクタ，１０２：ケーブル
【図１】
2011131021.tif 000003
【図２】
2011131021.tif 000004
【図３】
2011131021.tif 000005
【図４】
2011131021.tif 000006
【図５】
2011131021.tif 000007
【図６】
2011131021.tif 000008
【図７】
2011131021.tif 000009
【図８】
2011131021.tif 000010
【図９】
2011131021.tif 000011
【図１０】
2011131021.tif 000012
【図１１】
2011131021.tif 000013
【図１２】
2011131021.tif 000014